(57)【要約】  【課題】  開放されることを抑制できるクランプを提供する。  【解決手段】  クランプ１は、本体部１１と、バンド１３と、延出部１５と、を備える。本体部１１には、上下方向に深さを有する差込穴２７が形成され、差込穴２７の内部には係止片３１が設けられている。延出部１５は、バンド１３の延び出した先において、その延び出した方向と交差する方向に延び出している。延出部１５はその延び出す方向と交差する方向の表面に開口を有する凹部４１が形成されている。延出部１５を差込穴２７に差し込むと、係止片３１に延出部１５が係止される。このとき、係止片３１は凹部４１に収容されてその周囲が覆われるため、外部から工具などを用いて係止片３１を操作することが困難となり、係止片３１と延出部１５との係止が解除されることを抑制できる。【選択図】図１
2014096864.tif 000002
【特許請求の範囲】
【請求項１】
差込穴が形成され、当該差込穴内部に係止片が設けられてなる本体部と、
前記本体部に連接されるバンドと、
前記バンドから延び出す延出部であって、その延び出す方向と交差する方向に開口を有する凹部が形成されており、前記差込穴に差し込み可能である延出部と、を備え、
前記延出部を前記差込穴に差し込んだ状態において、前記係止片は前記凹部に収容されて前記延出部により覆われると共に前記延出部を係止する
ことを特徴とするクランプ。
【請求項２】
前記係止片は、前記延出部が差し込まれる方向に沿って延び出す舌状形状である
ことを特徴とする請求項１に記載のクランプ。
【請求項３】
前記本体部は、前記延出部を前記差込穴に差し込んだ状態において、前記延出部が前記差込穴に差し込まれる際に前記バンドが変位して通過する面と交差する交差方向に前記バンドが変位した際に、前記バンドと接触することによって前記バンドが予め設定した以上に前記交差方向へ変位することを抑制する変位抑制部を有している
ことを特徴とする請求項１または請求項２に記載のクランプ。
【発明の詳細な説明】
【技術分野】
【０００１】
本発明は、配線やワイヤハーネスなどの長尺部材を筐体などに固定する際に利用するクランプに関する。
【背景技術】
【０００２】
配線やワイヤハーネスは複数本が同じ位置を通過するように配置されることがあり、それらが乱雑になることを防止するためにそれらを結束して筐体や柱などに固定する場合がある。従来、配線を筐体等に固定するために、配線に巻きつけて配線を固定するためのバンド部と、筐体に本体部を固定するための係止部およびバンド部を挿入して係止するバンド止め部が形成された本体部と、を有するバンドクランプが提案されている（特許文献１参照）。
【先行技術文献】
【特許文献】
【０００３】
【特許文献１】特開２００４−４８９０１号公報
【発明の概要】
【発明が解決しようとする課題】
【０００４】
特許文献１に記載のバンドクランプはバンド部やバンド止め部を変形させて係止させるものであるから、柔軟性を有する樹脂で形成されている。そのため、バンド部とバンド止め部との係止箇所に工具等を差し込んで係止を解除してバンド部を引き抜き、バンド部を開放して配線等を外すことが比較的容易であった。よって上記バンドクランプは、バンド部の開放を禁止すべき場面で使用される封緘具として用いることは難しかった。
【０００５】
本発明の目的は、開放されることを抑制できるクランプを提供することである。
【課題を解決するための手段】
【０００６】
上述した問題を解決するためになされた請求項１に記載の発明は、差込穴が形成され、当該差込穴内部に係止片が設けられてなる本体部と、前記本体部に連接されるバンドと、前記バンドから延び出す延出部であって、その延び出す方向と交差する方向に開口を有する凹部が形成されており、前記差込穴に差し込み可能である延出部と、を備え、前記延出部を前記差込穴に差し込んだ状態において、前記係止片は前記凹部に収容されて前記延出部により覆われると共に前記延出部を係止することを特徴とするクランプである。
【０００７】
このように構成されたクランプは、延出部と本体部の係止片とが係止することでバンドと本体部とが協働して把持環部を形成し、この把持環部により配線等の長尺部材を保持する。延出部は凹部に収容された係止片を覆うため、外部から係止片を操作することが困難となる。よって、係止片と延出部との係止が解除されることを抑制でき、バンドが開放されることを抑制できる。
【０００８】
なお延出部が覆う部分とは、例えば、係止片における側面、即ち、差込穴の深さ方向と交差する方向かつ係止片が設けられた差込穴の表面に沿う方向の側面や、係止片における差込穴の延出部を差し込むべき開口側などが該当する。この場合、差込穴の延出部を差し込んだ開口側から係止片が操作されることを抑制できる。
【０００９】
また差込穴が本体部の裏面まで貫通する穴であって、裏面の開口から係止片を操作される恐れがある場合などは、係止片における差込穴の奥側（裏面側）も延出部により覆われるように構成してもよい。
【００１０】
凹部は係止片の周囲を完全に覆っているものに限られず、外部から工具などを侵入させて係止片を操作することを抑制できる形状であれば、間隙が設けられていてもよい。
請求項２に記載の発明は、請求項１に記載のクランプにおいて、前記係止片は、前記延出部が差し込まれる方向に沿って延び出す舌状形状でることを特徴とする。
【００１１】
このように構成されたクランプでは、凹部が係止片に係止した状態において延出部に差込穴から引き抜く方向の荷重が加えられると、舌状の係止片が断裂したり屈折したりする。その場合、再び延出部を差込穴に差し込んでも延出部を係止片に適切に係止させることが困難になるため、延出部を引き抜いて把持環部が開放されたか否かのチェックを容易に行うことができる。
【００１２】
なお上述した延出部が差し込まれる方向とは、差込穴の深さ方向であって、穴の奥向きの方向である。
請求項３に記載の発明は、請求項１または請求項２に記載のクランプにおいて、前記本体部は、前記延出部を前記差込穴に差し込んだ状態において、前記延出部が前記差込穴に差し込まれる際に前記バンドが変位して通過する面と交差する交差方向に前記バンドが変位した際に、前記バンドと接触することによって前記バンドが予め設定した以上に前記交差方向へ変位することを抑制する変位抑制部を有していることを特徴とする。
【００１３】
このように構成されたクランプは、変位抑制部によって上記交差方向へのバンドの変位を抑制できる。そのためバンドを上記交差方向に曲げたり捻ったりすることによって延出部の係止片への係止が解除されてしまうことを抑制できる。
【図面の簡単な説明】
【００１４】
【図１】実施例のクランプを示す図であって、（ａ）が正面図であり、（ｂ）が左側面図であり、（ｃ）が右側面図であり、（ｄ）が平面図であり、（ｅ）が底面図であり、（ｆ）が背面図であり、（ｇ）が左上方から見た斜視図であり、（ｈ）が右上方から見た斜視図であり、（i）が左下方から見た斜視図であり、（ｊ）が右下方から見た斜視図である。
【図２】（ａ）がクランプを取付対象物に取り付けた状態を示す正面図であり、（ｂ）がクランプを取付対象物に取り付けた状態を示す左側面図であり、（ｃ）が図２（ｂ）のＢ−Ｂ断面図である。
【図３】延出部を拡大した斜視図である。
【図４】（ａ）が延出部を差込穴に差し込んだ状態を示す斜視図であり、（ｂ）が図４（ａ）において図２（ａ）、（ｃ）の領域Ａを切り取って断面を示した図である。
【発明を実施するための形態】
【００１５】
以下に本発明の実施形態を図面と共に説明する。
［実施例］
（１）全体構成
本実施例のクランプ１は、取付対象物に配線等の長尺部材を固定する際に用いられるものであって、図１（ａ）〜（ｊ）にその全体図を示す。なお、クランプ１を構成する各部の相対的な位置関係を簡潔に説明するために以下では前後・左右・上下の方向を規定しているが、これらの方向はあくまでも各部の相対的な位置関係を示すための定義にすぎず、本実施例のクランプ１を使用する際の取り付け方向などを規定するものではない。
【００１６】
クランプ１は、本体部１１と、２つのバンド１３と、２つの延出部１５と、を備える。本体部１１は前後方向および左右方向に広がる上面視が略矩形の形状を有している。２つのバンド１３は本体部１１の右端部にて連接され、前後方向に並んで右方向に延び出しており、その延び出した先に設けられる延出部１５が上方向に延び出している。なおバンド１３および延出部１５の延び出す方向は、バンド１３を変位させれば当然その方向は変化する。
【００１７】
本体部１１の上面には、前後方向に長さを有する溝部２１と、溝部２１の右側において前後方向に間隔を開けて並ぶ３つの仕切り壁２３と、溝部２１を挟んで各仕切り壁２３と対向する位置関係で並ぶ３つの仕切り突部２５と、溝部２１の左側において前後方向に間隔を開けて並び上下方向に深さを有する２つの差込穴２７とが形成されている。
【００１８】
仕切り壁２３同士の間隔、および仕切り突部２５同士の間隔は、いずれもバンド１３の前後方向の幅よりも僅かに広くなるように形成される。なお仕切り壁２３および仕切り突部２５が、本発明における変位抑制部の一例である。
【００１９】
差込穴２７は上面視で略矩形の孔である。差込穴２７の内部には係止片３１が設けられている。係止片３１は、図２（ｃ）に示すように、差込穴２７の左側の内側面から差込穴２７の軸心方向（右方向）に延び出し、その先が下方向に延び出す舌状の形状である。また係止片３１は上記内側面から延び出す板状であり幅方向が周囲と連接しない形状ともいえる。係止片３１は、係止片３１の延び出した先端よりも差込穴２７と連接する基端側に位置する領域において、その周囲よりも厚みの薄い肉薄部３１ａが形成されている。
【００２０】
なお差込穴２７は本実施例のように本体部１１を貫通する穴であってもよいし、貫通しない穴であってもよい。
本体部１１の裏面には、位置決め突起３３と、本体部１１の前後端部から下方向に延び出す２つのスナップ３５と、が設けられている。これら位置決め突起３３およびスナップ３５によって、図２（ａ）、（ｂ）に示すように、本体部１１は取付対象物３に取り付けられる。なお取付対象物３には位置決め突起３３およびスナップ３５に対応する穴３ａ、３ｂが予め設けられている。
【００２１】
バンド１３は左右方向に長さを有する長板状の部材である。バンド１３における本体部１１との連接部分１３ａは、バンド１３の主たる部分よりも肉薄に形成されている。
延出部１５は、バンド１３の延び出した先において、その延び出した方向と交差する方向（図１（ａ）〜（ｊ）においては上方向）に延び出している。
【００２２】
図３に示すように、延出部１５は先端に傾斜面を有する柱状であって、その延び出す方向と交差する方向の表面（本実施例においては右側の面）に開口を有する凹部４１が形成されている。凹部４１は、一対の側壁４３と、底壁４５と、天壁４７と、に囲まれて形成されている。天壁４７の上側は凹部４１の開口側に向かって傾斜する傾斜面となっている。底壁４５はバンド１３よりも前後方向に幅広であり、また延出部１５よりも右方向へ拡がっている。
【００２３】
この延出部１５は差込穴２７よりも僅かに小さく形成されており、バンド１３を変位させることで差込穴２７に差し込み可能となっている。差し込む際には延出部１５は天壁４７が下方向を向くようにして下向きに差し込まれる。
【００２４】
延出部１５を差込穴２７に差し込むと、まず係止片３１が天壁４７の傾斜面に押圧されて左側に変位する。天壁４７が係止片３１よりも奥まで挿入されると、係止片３１は弾性力により元の位置に戻り、図２（ｃ）に示すように、天壁４７側の内側面が係止片３１の先端に接触して延出部１５が係止される。
【００２５】
上述した状態において、本体部１１とバンド１３とは協働して溝部２１を中心とした把持環部を形成する。本体部１１をスナップ３５を用いて取付対象物３に固定し、把持環部に長尺部材５を固定することで長尺部材５が取付対象物３に固定される。
【００２６】
このとき、図４（ｂ）に示すように、係止片３１は凹部４１に収容されてその周囲が延出部１５に覆われる。具体的には、係止片３１の前後側が一対の側壁４３に覆われ、上方側が底壁４５に覆われ、下側が天壁４７に覆われる。
【００２７】
また延出部１５を差込穴２７に差し込む際、図２（ａ）、（ｃ）に示すように、バンド１３は肉薄の連接部分１３ａにて屈曲し、バンド１３は本体部１１に沿った位置となる。このとき、図４（ａ）に示すように、バンド１３の前後方向の側面に沿った位置に仕切り壁２３および仕切り突部２５が位置することとなる。
【００２８】
（２）効果
本実施例のクランプ１は、延出部１５を差込穴２７に差し込んで係止させると、延出部１５が係止片３１を覆うため、外部から工具などを用いて係止片３１を操作することが困難となる。よって、係止片３１と延出部１５との係止が解除されてしまうことを抑制でき、バンド１３が開放されることを抑制できる。
【００２９】
また延出部１５が柱状に形成されているため差込穴２７の隙間を埋め易く、また底壁４５によって差込穴２７の開口が広く覆われるため、それにより係止片３１を操作して延出部１５との係止を解除されてしまうことをさらに高度に抑制できる。
【００３０】
また本実施例のクランプ１は、係止片３１は舌状の形状となっているため、延出部１５を無理に引き抜こうとすると係止片３１が破損する。すると再び延出部１５を差込穴２７に差し込んでも延出部１５を係止片３１に適切に係止させることが困難になるため、延出部１５を引き抜いて把持環部が開放されたか否かのチェックを容易に行うことができる。
なお、係止片３１の一部が肉薄部３１ａとなっているため係止片３１はその箇所で破損しやすくなっており、延出部１５を引き抜こうとしたことを発見されやすくできる。
【００３１】
また、延出部１５を差込穴２７に差し込んだ状態において、仕切り壁２３および仕切り突部２５によって、延出部１５が差込穴２７に差し込まれる際にバンド１３が変位して通過する面（左右方向かつ上下方向に広がる面）と交差する交差方向（前後方向）にバンド１３が変位した際に、仕切り壁２３および仕切り突部２５がバンド１３と接触する。よって、バンド１３が予め設定した以上に上記交差方向へ変位することを抑制でき、バンド１３を上記交差方向に曲げたり捻ったりすることによって延出部１５の係止片３１への係止が解除されることを抑制できる。
【００３２】
［変形例］
以上本発明の実施例について説明したが、本発明は、上記実施例に何ら限定されることはなく、本発明の技術的範囲に属する限り種々の形態をとり得ることはいうまでもない。
【００３３】
例えば、上記実施例においては、バンド１３、延出部１５、および差込穴２７は２組設けられている構成を例示したが、１組であってもよいし、３組以上が設けられていてもよい。
【００３４】
また上記実施例においては本体部１１はスナップ３５により取付対象物３に取り付ける構成を例示したが、スナップ３５以外の手法、例えばネジ止めや両面テープ、接着剤により固定されるものであってもよい。また、筐体等の取付対象物に取り付ける手段を有さない構成であってもよい。
【００３５】
また上記実施例においては仕切り壁２３および仕切り突部２５がバンド１３の交差方向への移動を抑制する構成を例示したが、これらはいずれか一方のみを有する構成であってもよく、またいずれも有さない構成であってもよい。
【符号の説明】
【００３６】
１…クランプ、３…取付対象物、５…長尺部材、１１…本体部、１３…バンド、１５…延出部、２１…溝部、２３…仕切り壁、２５…仕切り突部、２７…差込穴、３１…係止片、３１ａ…肉薄部、３３…位置決め突起、３５…スナップ、４１…凹部、４３…側壁、４５…底壁、４７…天壁
【図１】
2014096864.tif 000003
【図２】
2014096864.tif 000004
【図３】
2014096864.tif 000005
【図４】
2014096864.tif 000006